(57)【要約】【課題】  ＨＦＭグルーブを再生するときに生じるノイズの影響を低減する。【解決手段】  ＨＦＭグルーブに光を照射することによって得られたＲＦ信号を、Ａ／Ｄ変換回路４２が、ウォブルＰＬＬ部３２からｗｃｋ３が供給される毎にＡ／Ｄ変換して、加算器６１に出力する。加算器６１は、ミュート回路６３の制御に応じて、Ａ／Ｄ変換回路４２から供給されたディスクデータ０．５ビット分に相当するの信号のうち、積分区間として設定された範囲の信号について、サンプリングクロックが供給される毎に信号値を累算することにより、積分区間の信号を積分する。加算器６１によって加算された値は、累算器６２に供給される。積分区間の積分が終了すると、レジスタ５３が、累算器６２に記憶されている値を、アドレスＥＣＣデコーダ回路２４に供給する。【選択図】  図４
2006004502.tif 000002
【特許請求の範囲】
【請求項１】
所定のデータをバイフェーズ変調することによって得られるバイフェーズ信号に対応した矩形波が形成されている光ディスクを再生する再生装置であって、
上記光ディスクから、上記矩形波に対応した上記バイフェーズ信号を検出するバイフェーズ信号検出手段と、
上記バイフェーズ信号検出手段によって検出されたバイフェーズ信号を、アナログ信号からデジタル信号に変換するアナログデジタル変換手段と、
上記アナログデジタル変換手段によって生成される上記バイフェーズ信号０．５ビット分に相当するデジタル信号のうち、所定の区間を積分区間として設定する積分区間設定手段と、
上記アナログデジタル変換手段によって生成された上記バイフェーズ信号０．５ビット分に相当するデジタル信号のうち、上記積分区間設定手段によって設定された上記積分範囲の信号の信号値を、サンプリング周期毎に検出して累算する積分手段とを備えること
を特徴とする再生装置。
【請求項２】
上記バイフェーズ変調は、ＨＦＭ（High Frequency Modulated）変調であること
を特徴とする請求項１記載の再生装置。
【請求項３】
上記積分手段から出力された信号に対してエラー訂正を施すエラー訂正手段と、
上記エラー訂正手段の動作クロックを生成する動作クロック生成手段と、
上記積分手段から出力された信号をラッチして、上記動作クロック生成手段によって生成された動作クロックと共に出力するラッチ手段とを備えること
を特徴とする請求項１記載の再生装置。
【請求項４】
所定のデータをバイフェーズ変調することによって得られるバイフェーズ信号に対応した矩形波が形成されている光ディスクを再生する再生方法であって、
上記光ディスクから、上記矩形波に対応した上記バイフェーズ信号を検出するバイフェーズ信号検出ステップと、
上記バイフェーズ信号検出ステップで検出されたバイフェーズ信号を、デジタル信号に変換するアナログデジタル変換ステップと、
上記アナログデジタル変換ステップで上記デジタル信号に変換される上記バイフェーズ信号０．５ビット分に相当する信号のうち、所定の範囲を積分区間として設定する積分区間設定ステップと、
上記アナログデジタル変換手段によって生成された上記バイフェーズ信号０．５ビット分に相当するデジタル信号のうち、上記積分区間設定ステップで設定された積分区間の信号の信号値をサンプリング周期毎に検出して累算する積分ステップとを備えること
を特徴とする再生方法。
【請求項５】
上記バイフェーズ変調は、ＨＦＭ（High Frequency Modulated）変調であること
を特徴とする請求項４記載の再生方法。
【発明の詳細な説明】
【技術分野】
【０００１】
本発明は、光ディスクの再生装置及び再生方法に関し、詳しくは、ディスクの種類などを示しているデータがバイフェーズ変調されることによって得られたバイフェーズ信号に対応した矩形波が、内周面などに予め記録されている光ディスクの再生装置及び再生方法に関する。
【背景技術】
【０００２】
高密度記録を実現するために、青紫色レーザによって信号の記録や再生が行われる光ディスク（ブルーレイディスク（商標）；以下、ＢＤという。）が開発されている。
【０００３】
ＢＤは、内周にＰＩＣ（Permanent Information & Control data）領域が設けられており、ＰＩＣ領域には、ＨＦＭ（High Frequency Modulated）グルーブが形成されている。ＨＦＭグルーブは、例えば、ＢＤを製造したメーカや、ＢＤに対する信号の記録や再生に必要とされるレーザ光のパワーなどが示されているディスクデータをバイフェーズ変調して矩形波で示したものである。したがって、記録再生装置では、ＨＦＭグルーブを再生することにより、ディスクデータを得ることができる。
【０００４】
ＢＤは、ＰＩＣ領域の周りに、音楽データや画像データなど、ユーザが利用するためのデータが記憶されるが、かかるデータが記憶される領域に形成されるグルーブは、形状が正弦波状とされている。一方、ＨＦＭグルーブは、形状が矩形とされているために、形状が正弦波状とされているグルーブとは、再生方法が異なる。しがたって、ＢＤの記録再生装置には、図６に示すような、ＨＦＭグルーブを再生するためのＨＦＭグルーブ再生回路１００が搭載されている。
【０００５】
ＨＦＭグルーブ再生回路１００は、ＨＦＭグルーブに対して光を照射して得られた反射光に基づいて生成されたＲＦ信号から、ディスクデータの周波数の信号を検出して出力するフィルタ１０１と、フィルタ１０１から出力された信号を２値化して、誤りを修正する前のディスクデータであるＰＩＣデータを生成するコンパレータ１０２と、コンパレータ１０２から出力されたＰＩＣデータに基づいて、後段の回路で利用されるＰＩＣクロックを生成するＰＬＬ（Phase Locked Loop）１０３とを備える。コンパレータ１０２から出力されたＰＩＣデータは、ＰＬＬ回路１０３に供給されるだけでなく、ＨＦＭグルーブ再生回路１００の後段に備えられた回路に出力される。
【０００６】
また、ＨＦＭグルーブ再生回路１００は、ＰＬＬ１０３によって生成されたＰＩＣクロックを、コンパレータ１０２から出力されるＰＩＣデータと同じタイミングで後段の回路に出力するディレイ回路１０４と、コンパレータ１０２が信号を２値化するときのしきい値ａを設定するヒステリシス回路１０５とを備える。
【発明の開示】
【発明が解決しようとする課題】
【０００７】
ところで、ＢＤのＰＩＣ領域上に傷が生じた場合や、偏心が生じた場合には、光ディスクによる光の反射率の低下などが原因となり、ＨＦＭグルーブ再生回路１００に対して供給されるＲＦ信号にノイズが重畳される。
【０００８】
しかしながら、上述したＨＦＭグルーブ再生回路１００では、しきい値ａを超えるノイズが発生した場合、すなわち、ノイズが発生することにより、しきい値ａ未満の値がしきい値ａ以上の値とされたり、しきい値ａ以上の値がしきい値ａ未満とされる場合には、コンパレータ１０２による２値化の結果得られるデータに誤りが生じてしまい、復調が困難となる。
【０００９】
また、耐久性を確認するための試験などを行うことにより、記録再生装置に対して摂動が与えられたときには、フィルタ１０１から出力される信号の振幅が小さくなる。したがって、記録再生装置に対して摂動を与えたときには、ＨＦＭグルーブ再生回路１００では、コンパレータ１０２による２値化に遅延が生じてしまい、ＰＩＣクロックの出力タイミングとＰＩＣデータの出力タイミングとの位相関係が崩れてしまうために、復調が困難となる。
【００１０】
本発明は、以上説明した従来の実情を鑑みて提案されたものであり、生成された信号にノイズが生じた場合や、摂動が与えられた場合にも、復調を容易に行うことが可能な再生装置及び再生方法を提供することを目的とする。
【課題を解決するための手段】
【００１１】
本発明に係る再生装置は、所定のデータをバイフェーズ変調することによって得られるバイフェーズ信号に対応した矩形波が形成されている光ディスクを再生する再生装置であって、上記光ディスクから、上記矩形波に基づいて上記バイフェーズ信号を検出するバイフェーズ信号検出手段と、上記バイフェーズ信号検出手段によって検出されたバイフェーズ信号を、デジタル信号に変換するアナログデジタル変換手段と、上記アナログデジタル変換手段によって生成される上記バイフェーズ信号０．５ビット分に相当するデジタル信号のうち、所定の区間を積分区間として設定する積分区間設定手段と、上記アナログデジタル変換手段によって生成された上記バイフェーズ信号０．５ビット分に相当するデジタル信号のうち、上記積分区間設定手段によって設定された上記積分区間の信号の信号値を、サンプリング周期毎に検出して累算する積分手段とを備えることを特徴とする。
【００１２】
また、本発明に係る再生方法は、所定のデータをバイフェーズ変調することによって得られるバイフェーズ信号に対応した矩形波が形成されている光ディスクを再生する再生方法であって、上記光ディスクから、上記矩形波に基づいて上記バイフェーズ信号を検出するバイフェーズ信号検出ステップと、上記バイフェーズ信号検出ステップで検出されたバイフェーズ信号を、デジタル信号に変換するアナログデジタル変換ステップと、上記アナログデジタル変換ステップで上記デジタル信号に変換される上記バイフェーズ信号０．５ビット分に相当する信号のうち、所定の区間を積分区間として設定する積分区間設定ステップと、上記アナログデジタル変換手段によって生成された上記バイフェーズ信号０．５ビット分に相当するデジタル信号のうち、上記積分区間設定ステップで設定された積分区間の信号の信号値をサンプリング周期毎に検出して累算する積分ステップとを備えること  を特徴とする。
【発明の効果】
【００１３】
本発明に係る再生装置及び再生方法は、光ディスクに形成されている矩形波に対応したバイフェーズ信号をデジタル信号に変換し、バイフェーズ信号０．５ビット分に相当する信号のうち、任意に設定された積分区間の信号を積分している。積分区間を任意に設定しているので、本発明に係る再生装置及び再生方法によれば、デジタル変換した信号のレベルが遷移しているときに生じる信号波形の鈍りを、除いて積分することが可能となる。
【００１４】
したがって、本発明に係る再生装置及び再生方法によれば、デジタル変換した信号のレベルが遷移しているときに生じる信号波形の鈍りの影響を効率良く除去することが可能となり、傷や偏心に基づいた光ディスクによる光の反射率の低下などが原因となって信号波形の鈍る区間が広がった場合にも、積分区間を変更することにより、所定のデータの復調を正確且つ容易に行うことが可能となる。また、摂動が与えられることにより信号の振幅が小さくなることが原因となって、所定のデータが誤検出されることを防ぐことが可能となる。
【発明を実施するための最良の形態】
【００１５】
以下、本発明を実施するための最良の形態について、図面を参照しながら詳細に説明する。
【００１６】
最初に、図１を参照して、本発明を適用した記録再生装置で再生される光ディスク１について説明する。
【００１７】
光ディスク１は、ブルーレイディスク（商標）と呼ばれているディスクである。信号を記録又は再生するためのレーザ光としては、波長が４０５ｎｍのいわゆる青紫色光が利用される。また、対物レンズのＮＡは０．８５である。
【００１８】
光ディスク１は、最内周にＰＩＣ（Permanent Information & Control data）領域２が設けられている。ＰＩＣ領域２には、光ディスク１を製造したメーカや、光ディスク１に対する信号の記録や再生を行うときに必要となるレーザ光のパワーなど、光ディスク１に関するデータ（以下、ディスクデータという。）が記録されている。
【００１９】
また、光ディスク１は、ＰＩＣ領域２の外側のユーザデータ領域３に、音声データや画像データなど、ユーザによって利用されるデータ（以下、ユーザデータという。）が記憶されている。
【００２０】
ディスクデータは、図２（Ａ）に示すようなディスクデータをバイフェーズ変調して、図２（Ｂ）に示すように矩形波で示したＨＦＭ（High Frequency Modulated）グルーブとして、ＰＩＣ領域２に記録されている。ディスクデータは、チャネルビット３６ビット分の長さで１ビットのデータが示されている。また、ＨＦＭグルーブはバイフェーズ変調されたディスクデータに対応しているので、０のときにはチャネルビット３６ビット分全体がＨＩＧＨ又はＬＯＷとされており、１のときにはチャネルビット１８ビット分の位置で信号がＨＩＧＨからＬＯＷに、又はＬＯＷからＨＩＧＨに変化している。
【００２１】
したがって、ディスクデータを再生する場合には、ディスクデータ０．５ビット分に相当する信号がＨＩＧＨであるかＬＯＷであるかを検出し、ディスクデータ１ビット分すなわちチャネルビット３６ビット分の中心で信号レベルが変化しているか否かを判断する。
【００２２】
本発明を適用した記録再生装置では、ＨＦＭグルーブに光を照射して得られた反射光に基づいて生成されたＲＦ（Radio Frequency）信号から、ディスクデータを再生する。なお、図２及び図５では、ユーザデータ領域３に形成されているウォブルから生成されるチャネルビット１ビット分を１Ｔと示す。
【００２３】
つぎに、図３〜図５を参照して、本発明を適用した記録再生装置１０について説明する。
【００２４】
記録再生装置１０は、図３に示すように、光ディスク１を回転させるスピンドルモータ１１と、スピンドルモータ１１を駆動させるためのスピンドルドライバ１２と、後述するＣＰＵ（Central Processing Unit）２９の制御に基づいて、スピンドルドライバ１２を制御するスピンドルサーボ回路１３とを備える。
【００２５】
また、記録再生装置１０は、光ディスク１に対して照射する青紫色光を出射し、光ディスク１による反射光を信号に変換して出力するピックアップブロック１４と、ピックアップブロック１４から出射される青紫色光のフォーカシング及びトラッキングを行う２軸ドライバ１５と、ピックアップブロック１４を光ディスク１の径方向に沿って移動させるスレッド部１６と、スレッド部１６を駆動するスレッドドライバ１７と、後述するクロック生成回路２２及びＣＰＵ２９の制御に基づいて、２軸ドライバ１５及びスレッドドライバ１７を制御する光学ブロックサーボ回路１８とを備える。
【００２６】
また、記録再生装置１０は、ピックアップブロック１４から出力された信号に基づいて、ＲＦ信号やフォーカスサーボ信号などを生成するマトリックス回路２１と、マトリックス回路２１によって生成された信号に基づいてクロックを生成するクロック生成回路２２と、マトリックス回路２１によって生成されたＲＦ信号及びクロック生成回路２２によって生成されたクロックに基づいて、アドレスを復調するアドレス復調回路２３と、アドレス復調回路２３によって復調されたアドレスのエラー検出及びエラー訂正を行うアドレスＥＣＣ（Error Check and Collect）デコード回路２４とを備える。
【００２７】
また、記録再生装置１０は、マトリックス回路２１によって生成されたＲＦ信号及びクロック生成回路２２によって生成されたクロックに基づいて、光ディスク１に記録されているユーザデータを復調するデータ復調回路２５と、後述するＣＰＵ２９による制御やアドレスＥＣＣデコード回路２４から供給される信号に基づいて、データ復調回路２５から供給されたユーザデータのエラー検出及びエラー訂正を行うとともに、光ディスク１に対して記録するデータに対してエラーコレクションコードを付加するＥＣＣエンコード／デコード回路２６とを備える。
【００２８】
また、記録再生装置１０は、ＥＣＣエンコード／デコード回路２６によって、エラーコレクションコードが付加されたデータをパルスに変換する記録パルス変換回路２７と、記録パルス変換回路２７によって生成されたパルスに基づいて、ピックアップブロック１４に備えられたレーザ光源（図示せず。）から出力されるレーザ光の強度をコントロールするレーザパワーコントロール回路２８とを備える。
【００２９】
また、記録再生装置１０は、アドレスＥＣＣデコード回路２４及びＥＣＣエンコード／デコード回路２６から信号が供給され、スピンドルサーボ回路１３、光学ブロックサーボ回路１８、ＥＣＣエンコード／デコード回路２６を制御するＣＰＵ（Central Processing Unit）２９を備える。
【００３０】
クロック生成回路２２は、図４に示すように、マトリックス回路２１で生成されたＲＦ信号に基づいて、データ復調回路２５で利用されるクロックを生成する再生ＰＬＬ（Phase Locked Loop）部３１と、アドレス復調回路２３で生成されるクロックを生成するウォブルＰＬＬ部３２と、光学ブロックサーボ回路１８などで利用されるクロックを生成するマスタークロック生成部３３とを備える。
【００３１】
また、アドレス復調回路２３は、ピックアップブロック１４がＨＦＭグルーブに光を照射することによって得られたＲＦ信号及びウォブルＰＬＬ部３２で生成された信号に基づいて、ディスクデータを復調するディスクデータ復調部４１を備える。
【００３２】
ディスクデータは、図４に示すような、ウォブルＰＬＬ部３２、ディスクデータ復調部４１、並びに、マトリックス回路２１から出力されたＲＦ信号をデジタル信号に変換するアナログ／デジタル変換（以下、Ａ／Ｄ変換という）回路４２によって再生される。以下では、ウォブルＰＬＬ部３２、ディスクデータ復調部４１、並びに、Ａ／Ｄ変換回路４２によるディスクデータの再生について説明する。
【００３３】
ウォブルＰＬＬ部３２は、ピックアップブロック１４がＨＦＭグルーブに光を照射することによって得られたＲＦ信号から、１チャネルビット単位信号ｗｃｋの逓倍クロックであり、Ａ／Ｄ変換回路４２及びカウンタ５１に供給される第１のクロック（以下、サンプリングクロックという。）と、カウンタ５１に供給される第２のクロックとを生成する。
【００３４】
本実施の形態では、ウォブルＰＬＬ部３２は、図５中（Ａ）に示すような基準信号の周期の１／３を１周期とするサンプリングクロック（以下、ｗｃｋ３ともいう。）と、図５中（Ｃ）に示すようなウォブル信号の周期の１／１８を１周期とする第２のクロック（以下、ｗｃｋ１８ともいう。）とを生成する。
【００３５】
Ａ／Ｄ変換回路４２は、マトリックス回路２１から出力されたＲＦ信号を、ウォブルＰＬＬ部３２からｗｃｋ３が供給される毎にデジタル信号に変換して、後述する加算器６１に供給する。Ａ／Ｄ変換回路４２によって生成される信号は、例えば図５中（Ｂ）に示す通りとなる。
【００３６】
ディスクデータ復調部４１は、図４に示すように、ウォブルＰＬＬ部３２から供給されるｗｃｋ３をカウントするカウンタ５１と、Ａ／Ｄ変換回路４２によってデジタル信号に変換されたＲＦ信号を積分する積分回路５２と、カウンタ５１によってカウントされた値に応じて後述する累算器６２から出力された信号をラッチした後に出力するレジスタ５３とを備える。
【００３７】
カウンタ５１は、図５中（Ｅ）に示すように、ウォブルＰＬＬ部３２から供給されるｗｃｋ３に基づいてカウントアップする。カウンタ５１は、いわゆる６進カウンタであり、カウントした値が５になった後に再度０からカウントを開始する。すなわち、カウンタ５１は、０から５までのカウントを繰り返す。カウンタ５１は、図５中（Ｄ）に示すように、ウォブルＰＬＬ部３２から供給されるｗｃｋ１８の立ち上がりを検出して、ｗｃｋ１８とＡ／Ｄ変換回路４２から供給される信号が遷移するタイミングに基づいて、ロード値を決定する。
【００３８】
また、カウンタ５１は、ウォブルＰＬＬ部３２から出力されるｗｃｋ１８に基づいて、図５（Ｊ）に示すようにｗｃｋ１８と同じ周期のＰＩＣクロックを出力する。カウンタ５１から出力されたＰＩＣクロックは、アドレスＥＣＣデコード回路２４に供給され、アドレスＥＣＣデコード回路２４の動作クロックとして利用される。
【００３９】
積分回路５２は、Ａ／Ｄ変換回路４２から出力されたディスクデータ０．５ビット分に相当する信号の所定の区間について、信号値を、Ａ／Ｄ変換回路４２から信号が供給される度に累算することにより、ディスクデータ０．５ビット分に相当する信号の所定の区間を積分する。本実施の形態では、サンプリングクロック６周期分の信号のうち５周期分を積分する。
【００４０】
積分回路５２は、Ａ／Ｄ変換回路４２によってデジタル信号とされたＲＦ信号を、後述するミュート回路６３から出力された信号に累算することによって累算値を生成して出力する加算器６１と、加算器６１から出力された累算値を一時的に記憶して出力する累算器６２と、カウンタ５１によってカウントされた値に応じて累算器６２に記憶されている累算値又は０を加算器６１に対して供給するミュート回路６３とを備える。
【００４１】
加算器６１は、Ａ／Ｄ変換回路４２から供給されたデジタル信号と、ミュート回路６３から出力される信号とが供給される。加算器６１は、Ａ／Ｄ変換回路４２から信号が供給される毎に、すなわち、ｗｃｋ３がＡ／Ｄ変換回路４２に供給される毎に、ミュート回路６３から出力される信号にＡ／Ｄ変換回路４２から供給された信号を加算する。
【００４２】
ミュート回路６３は、ＣＰＵ２９の制御に応じて、Ａ／Ｄ変換回路４２から供給されたディスクデータ０．５ビットに相当するデジタル信号のうち、積分される区間（以下、積分区間という。）を設定する。
【００４３】
本実施の形態では、ミュート回路６３は、ＣＰＵ２９の制御に応じて、加算器６１に対して、カウンタ５１によってカウントされた値が０〜４であるときには累算器６２に記憶されている累算値を供給し、カウンタによってカウントされた値が５であるときには０を供給する。
【００４４】
具体的には、ＣＰＵ２９がカウンタ５１の値に応じて、図５中（Ｆ）に示すようにカウンタ５１の値が５であるときにのみＨＩＧＨとなるキャリ信号を生成して、ミュート回路６３に供給する。ミュート回路６３は、キャリ信号がＨＩＧＨとされたときに加算器６１に対して０を供給し、キャリ信号がＬＯＷとされているときには加算器６１に対して累算器６２に記憶されている累算値を供給する。
【００４５】
ミュート回路６３が以上説明した方法で加算器６１に対して供給する値を制御することにより、積分区間は、図５中（Ｈ）でＨＩＧＨとされている範囲となる。言い換えると、加算器６１及び累算器６２によって、サンプリングクロック６周期分の信号のうち、最初の１周期を除いた５周期分の信号が積分される。また、累算器６２に記憶される値は、図５中（Ｇ）に示す通りとなる。
【００４６】
すなわち、本実施の形態では、積分回路５２は、サンプリングクロック６周期分の信号のうち、最初の１周期を除いた５周期分の信号について、ｗｃｋ３毎に信号値を累算することによって、ディスクデータ０．５ビットに相当するデジタル信号のうち、積分区間の信号を積分している。
【００４７】
レジスタ５３は、図５中（Ｉ）に示すように、カウンタ５１によってカウントされた値が５のときに、累算器６２に記憶されている累算値をラッチして、アドレスＥＣＣデコード回路２４に出力する。具体的には、レジスタ５３は、ＣＰＵ２９から供給されるキャリ信号がＨＩＧＨとされたときに、累算器６２に記憶されている累算値をラッチして出力する。レジスタ５３から出力された累算値は、エラー訂正前のディスクデータ（ＰＩＣデータ）であり、アドレスＥＣＣデコード回路２４に供給される。
【００４８】
以上説明したように、本発明を適用した記録再生装置１０は、加算器６１と累算器６２とにより、Ａ／Ｄ変換回路４２から出力されたディスクデータ０．５ビット分に相当するデジタル信号のうち、積分区間の信号を積分し、ミュート回路６３が、ＣＰＵ２９の制御に基づいて、カウンタ５１によってカウントされた値に応じて積分区間を決定することにより、例えば図５中Ｘに示すような、Ａ／Ｄ変換回路４２から出力される信号がＨＩＧＨからＬＯＷ又はＬＯＷからＨＩＧＨに遷移することが原因となって生じる信号波形の鈍りを効率良く除去することが可能となる。
【００４９】
したがって、本発明を適用した記録再生装置１０によれば、ディスクデータを再生するときに、Ａ／Ｄ変換回路４２から出力される信号が遷移することによって生じる信号波形の鈍りの影響を受けることが少なく、ディスクデータを正確に再生することが可能となる。
【００５０】
また、本発明の適用した記録再生装置１０では、ディスクデータ０．５ビット分に相当するサンプリングクロック６周期分の信号のうち、最初の１周期を除いた５周期分の信号について、ｗｃｋ３毎に信号値を累算している。すなわち、５つの信号値を累算している。したがって、ＳＮＲ（Signal-to-Noise Ratio；信号対雑音比）が５１／２倍（３．５ｄＢ）向上する。
【００５１】
したがって、本発明を適用した記録再生装置１０によれば、傷や偏心により生じる光ディスク１による光の反射率の低下などが原因となって、Ａ／Ｄ変換回路４２から出力された信号にノイズが生じた場合や、Ａ／Ｄ変換回路４２から出力された信号の波形に鈍りが生じた場合にも、信号波形に生じた鈍りの影響を受けることが少なく、ディスクデータを正確且つ容易に復調することが可能となる。また、摂動が与えられることにより信号の振幅が小さくなることが原因となって、ディスクデータが誤検出されることを防ぐことが可能となる。
【００５２】
また、本発明を適用した記録再生装置１０では、レジスタ５３によってＰＩＣデータの出力タイミングが制御されており、カウンタ５１によってＰＩＣクロックの出力タイミングが制御されているために、ディスクデータ復調回路４１の最後段にディレイ回路を設けることなく、ＰＩＣデータとＰＩＣクロックとの出力タイミングを簡易に一致させることが可能となる。
【００５３】
したがって、本発明を適用した記録再生装置１０は、ディスクデータを復調するための回路が大規模化することを回避することが可能となる。
【図面の簡単な説明】
【００５４】
【図１】青紫色光によって信号の記録や再生が行われる光ディスクを示す平面図である。
【図２】同光ディスクのＰＩＣ領域に形成されるＨＦＭグルーブを説明する図である。
【図３】本発明を適用した記録再生装置を示すブロック図である。
【図４】同記録再生装置に備えられたクロック生成回路、ディスクデータ復調回路、Ａ／Ｄ変換回路を示すブロック図である。
【図５】同記録再生装置に備えられたクロック生成回路、ディスクデータ復調回路、Ａ／Ｄ変換回路の動作を示すタイミングチャートである。
【図６】従来の記録再生装置に備えられたＨＦＭグルーブ再生回路を示すブロック図である。
【符号の説明】
【００５５】
２９  ＣＰＵ、３１  再生ＰＬＬ部、３２  ウォブルＰＬＬ部、３３  マスタークロック生成回路、４１  ディスクデータ復調回路、４２  Ａ／Ｄ変換回路、５１  カウンタ、５２  積分回路、５３  レジスタ、６１  加算器、６２  累算器、６３  ミュート回路、
【図１】
2006004502.tif 000003
【図２】
2006004502.tif 000004
【図３】
2006004502.tif 000005
【図４】
2006004502.tif 000006
【図５】
2006004502.tif 000007
【図６】
2006004502.tif 000008